(57)【要約】【課題】設置自由度が高く、使い勝手のよい状態通知装置等を提供する。【解決手段】デバイス２０から無線通信により前記デバイス２０の状態情報を取得するデバイス状態情報取得部３４と、前記デバイス状態情報取得部３４によって取得された前記デバイスの状態情報に基づいて、前記デバイス２０にエラーが発生しているか否かを判定するエラー判定部３２ａ１と、前記エラー判定部３２ａ１によって前記デバイス１０にエラーが発生していると判定された場合、当該発生したエラーに応じた報知を実行するエラー報知部３６ａ〜３６ｃと、を備える状態通知装置３０であることを特徴とする。【選択図】  図２
2018034310.tif 000002
【特許請求の範囲】
【請求項１】
デバイスから無線通信により前記デバイスの状態情報を取得するデバイス状態情報取得
部と、
前記デバイス状態情報取得部によって取得された前記デバイスの状態情報に基づいて、
前記デバイスにエラーが発生しているか否かを判定するエラー判定部と、
前記エラー判定部によって前記デバイスにエラーが発生していると判定された場合、当
該発生したエラーに応じた報知を実行するエラー報知部と、を備える状態通知装置。
【請求項２】
前記エラーは、前記デバイスが使用する消耗品の不足であり、
さらに、報知部を備えた外部装置が不足の前記消耗品を把握するための情報を、無線通
信により前記外部装置に送信する無線通信部を備える請求項１に記載の状態通知装置。
【請求項３】
前記エラーは、前記デバイスが使用する消耗品の不足であり、
さらに、情報処理端末が不足の前記消耗品を把握するための情報を、無線通信により前
記情報処理端末に送信する無線通信部を備える請求項１に記載の状態通知装置。
【請求項４】
前記デバイスの状態情報は、前記デバイスから送信されるアドバタイズパケットに含ま
れる請求項１から３のいずれか１項に記載の状態通知装置。
【請求項５】
前記無線通信は、ＢｌｕｅＴｏｏｔｈ  Ｌｏｗ  Ｅｎｅｒｇｙによる通信である請求項
１から４のいずれか１項に記載の状態通知装置。
【請求項６】
デバイスと、前記デバイスとの間で無線通信を行う状態通知装置と、を備えた状態通知
システムであって、
前記デバイスの状態情報を取得するデバイス状態情報取得部と、
前記デバイス状態情報取得部によって取得された前記デバイスの状態情報に基づいて、
前記デバイスにエラーが発生しているか否かを判定するエラー判定部と、
前記エラー判定部によって前記デバイスにエラーが発生していると判定された場合に、
当該発生したエラーに応じた報知を実行するエラー報知部と、を備える状態通知システム
。
【請求項７】
デバイスから無線通信により前記デバイスの状態情報を取得するデバイス状態情報取得
工程と、
前記デバイス状態情報取得工程によって取得された前記デバイスの状態情報に基づいて
、前記デバイスにエラーが発生しているか否かを判定するエラー判定工程と、
前記エラー判定工程によって前記デバイスにエラーが発生していると判定された場合に
、当該発生したエラーに応じた報知を実行するエラー報知工程と、を備える状態通知方法
。
【発明の詳細な説明】
【技術分野】
【０００１】
本発明は、状態通知装置、状態通知システム及び状態通知方法に関する。
【背景技術】
【０００２】
従来、印刷装置（プリンター）に設けられた状態通知装置（例えば、パトライト（登録
商標）等の報知部）が知られている（例えば、特許文献１、特許文献２参照）。
【先行技術文献】
【特許文献】
【０００３】
【特許文献１】特開２０１６−１１２５８３号公報
【特許文献２】特開平５−５０７２０号公報
【発明の概要】
【発明が解決しようとする課題】
【０００４】
しかしながら、上記各特許文献に記載の状態通知装置によれば、印刷装置の状態（例え
ば、紙ジャムが発生した状態）を報知することができるものの、状態通知装置と印刷装置
とが有線接続されているため、状態通知装置の設置自由度が限られており、状態通知装置
を任意の箇所に設置するのが難しいという課題がある。
【０００５】
本発明は、上記事情に鑑みてなされたものであり、設置自由度が高く、使い勝手のよい
状態通知装置等を提供することを目的とする。
【課題を解決するための手段】
【０００６】
上記目的を達成するために、本発明の一つの側面は、デバイスから無線通信により前記
デバイスの状態情報を取得するデバイス状態情報取得部と、前記デバイス状態情報取得部
によって取得された前記デバイスの状態情報に基づいて、前記デバイスにエラーが発生し
ているか否かを判定するエラー判定部と、前記エラー判定部によって前記デバイスにエラ
ーが発生していると判定された場合、当該発生したエラーに応じた報知を実行するエラー
報知部と、を備える状態通知装置であることを特徴とする。
【０００７】
この側面によれば、設置自由度が高く、使い勝手のよい状態通知装置を提供することが
できる。
【０００８】
これは、状態通知装置が、デバイスから無線通信によりデバイスの状態情報を取得する
デバイス状態情報取得部を備えていることによるものである。すなわち、状態通知装置と
デバイスとが無線接続されているため（有線接続されていないため）、状態通知装置を任
意の箇所に設置することができることによるものである。
【０００９】
また、上記発明において、好ましい態様は、前記エラーは、前記デバイスが使用する消
耗品の不足であり、さらに、報知部を備えた外部装置が不足の前記消耗品を把握するため
の情報を、無線通信により前記外部装置に送信する無線通信部を備えることを特徴とする
。
【００１０】
この態様によれば、状態通知装置から離れた場所に存在するユーザーに、不足の消耗品
の補充又は交換を促すことができる。
【００１１】
これは、状態通知装置から離れた場所に設置可能な外部装置が、外部装置が不足の消耗
品を把握するための情報に基づいて、不足の消耗品に応じた報知を実行することによるも
のである。
【００１２】
また、上記発明において、好ましい態様は、前記エラーは、前記デバイスが使用する消
耗品の不足であり、さらに、情報処理端末が不足の前記消耗品を把握するための情報を、
無線通信により前記情報処理端末に送信する無線通信部を備えることを特徴とする。
【００１３】
この態様によれば、例えば、状態通知装置とは異なる場所に存在する情報処理端末に不
足の消耗品を報知させることができる。これにより、ユーザーに消耗品の補充又は交換を
促すことができる。
【００１４】
また、上記発明において、好ましい態様は、前記デバイスの状態情報は、前記デバイス
から送信されるアドバタイズパケットに含まれることを特徴とする。
【００１５】
この態様によれば、アドバタイズパケットによってデバイスの状態情報を送信すること
ができる。
【００１６】
また、上記発明において、好ましい態様は、前記無線通信は、ＢｌｕｅＴｏｏｔｈ  Ｌ
ｏｗ  Ｅｎｅｒｇｙによる通信であることを特徴とする。
【００１７】
この態様によれば、デバイスからＢｌｕｅＴｏｏｔｈ  Ｌｏｗ  Ｅｎｅｒｇｙによる通
信によりデバイスの状態情報を取得することができる。
【００１８】
また、上記目的を達成するために、本発明のさらに別の側面は、デバイスと、前記デバ
イスとの間で無線通信を行う状態通知装置と、を備えた状態通知システムであって、前記
デバイスの状態情報を取得するデバイス状態情報取得部と、前記デバイス状態情報取得部
によって取得された前記デバイスの状態情報に基づいて、前記デバイスにエラーが発生し
ているか否かを判定するエラー判定部と、前記エラー判定部によって前記デバイスにエラ
ーが発生していると判定された場合に、当該発生したエラーに応じた報知を実行するエラ
ー報知部と、を備えることを特徴とする。
【００１９】
この側面によれば、状態通知装置の設置自由度が高く、使い勝手のよい状態通知システ
ムを提供することができる。
【００２０】
これは、状態通知装置が、デバイスから無線通信によりデバイスの状態情報を取得する
デバイス状態情報取得部を備えていることによるものである。すなわち、状態通知装置と
デバイスとが無線接続されているため（有線接続されていないため）、状態通知装置を任
意の箇所に設置することができることによるものである。
【００２１】
また、上記目的を達成するために、本発明のさらに別の側面は、デバイスから無線通信
により前記デバイスの状態情報を取得するデバイス状態情報取得工程と、前記デバイス状
態情報取得工程によって取得された前記デバイスの状態情報に基づいて、前記デバイスに
エラーが発生しているか否かを判定するエラー判定工程と、前記エラー判定工程によって
前記デバイスにエラーが発生していると判定された場合に、当該発生したエラーに応じた
報知を実行するエラー報知工程と、を備える状態通知方法であることを特徴とする。
【００２２】
この側面によれば、状態通知装置の設置自由度が高く、使い勝手のよい状態通知方法を
提供することができる。
【００２３】
これは、状態通知装置が、デバイスから無線通信によりデバイスの状態情報を取得する
デバイス状態情報取得部を備えていることによるものである。すなわち、状態通知装置と
デバイスとが無線接続されているため（有線接続されていないため）、状態通知装置を任
意の箇所に設置することができることによるものである。
【図面の簡単な説明】
【００２４】
【図１】本発明の状態通知装置、状態通知システム及び状態通知方法が適用される状態通知システム１０のシステム構成の一例を示す図である。
【図２】印刷装置２０、状態通知装置３０及び消耗品棚４０の概略構成図である。
【図３】印刷装置２０（第１無線通信部２４）が送信するアドバタイズパケットに含まれる印刷装置２０の状態情報の一例である。
【図４】状態通知装置３０のＲＯＭ３２ｃ（状態情報記憶部３２ｃ１）に記憶された印刷装置２０の状態情報の一例である。
【図５】対応する印刷装置２０から取得されたアドバタイズパケットに含まれる印刷装置２０の状態情報の一例である。
【図６】状態通知装置３０（第２無線通信部３４）が送信するアドバタイズパケットに含まれる不足消耗品把握情報の一例である。
【図７】状態通知システム１０のシーケンス図である。
【図８】図７において状態通知装置３０が実行する処理を説明するためのフローチャートである。
【図９】図７において消耗品棚４０が実行する処理を説明するためのフローチャートである。
【発明を実施するための形態】
【００２５】
以下、本発明の実施形態について添付図面を参照しながら説明する。各図において対応
する構成要素には同一の符号が付され、重複する説明は省略される。
【００２６】
図１は、本発明の状態通知装置、状態通知システム及び状態通知方法が適用される状態
通知システム１０のシステム構成の一例を示す図である。
【００２７】
図１に示すように、本実施形態の状態通知システム１０は、印刷装置２０（２０Ａ〜２
０Ｃ）と、状態通知装置３０（３０Ａ〜３０Ｃ）と、消耗品棚４０と、を備える。
【００２８】
図２は、印刷装置２０、状態通知装置３０及び消耗品棚４０の概略構成図である。
【００２９】
印刷装置２０Ａ〜２０Ｃ（デバイス）は、インクジェット方式のプリンターであるが、
これに限らず、例えば、スキャナ、コピー機及びファクシミリ装置のうち少なくとも１つ
とプリンターとを含む複合機（ＭＦＰ：Multi-Function Printer）であってもよい。また
、電子写真方式等の他の印刷方式を採用してもよい。印刷装置２０Ａ〜２０Ｃの構成は共
通しているので、以下、これらを代表して符号２０によって印刷装置を示すものとする。
【００３０】
図２に示すように、印刷装置２０は、主に、第１制御部２２、第１無線通信部２４、状
態検出部２２ａ１、照度センサ２６、印刷機構２８等を備える。
【００３１】
第１制御部２２は、ＣＰＵ２２ａ、ＲＡＭ２２ｂ、ＲＯＭ２２ｃ等を備える。
【００３２】
第１制御部２２（ＣＰＵ２２ａ）は、ＲＯＭ２２ｃから読み込まれた所定プログラム（
制御プログラム等）を実行することで、印刷装置２０全体の動作を司る。ＲＡＭ２２ｂは
、ＣＰＵ２２ａが各種演算処理を行う際の作業領域として用いられる。ＲＯＭ２２ｃは、
例えば、フラッシュＲＯＭ等の書き換え可能な不揮発性メモリーで、制御プログラム等の
ファームウエアが記憶される。
【００３３】
第１無線通信部２４は、ＢＬＥ（Bluetooth Low Energy）に従った無線通信（以下、Ｂ
ＬＥ通信という）を行う通信部である。
【００３４】
第１制御部２２（ＣＰＵ２２ａ）は、ＲＯＭ２２ｃから読み込まれた所定プログラム（
制御プログラム等）を実行することで、状態検出部２２ａ１として機能する。
【００３５】
状態検出部２２ａ１は、印刷装置２０の状態を検出する。
【００３６】
例えば、状態検出部２２ａ１は、印刷装置２０に装着されたトレイ（図示せず）に設け
られた照度センサ２６の検出値と閾値とを比較することで、印刷装置２０の状態として、
トレイ内の印刷用紙の有無を検出する。照度センサ２６はトレイ内に収納された印刷用紙
によって覆われる位置に設けられているため、照度センサ２６の検出値と閾値とを比較す
ることで、トレイ内の印刷用紙の有無を検出することができる。
【００３７】
また、状態検出部２２ａ１は、印刷装置２０の状態として、印刷装置２０に装着された
第１及び第２インクのインクカートリッジ（図示せず）内のインクの有無（正確には、第
１及び第２インクの残量が閾値を下回ったか否か）を検出する。第１及び第２インクのイ
ンクカートリッジ内のインクの有無を検出する方法としては、例えば、光センサや静電容
量型センサ等のセンサを用いてインクカートリッジのインク残量を計測する手法の他、吐
出したインクのドット数に基づいてインク残量を算出する手法などを用いることができる
。なお、第１インクは例えば黒インク、第２インクは例えばカラーインクである。
【００３８】
状態検出部２２ａ１によって検出された印刷装置２０の状態は、印刷装置２０の状態を
表す情報（以下、印刷装置２０の状態情報という）を含むアドバタイズパケットの形態で
状態通知装置３０に通知される。この通知は、第１無線通信部２４が行う。
【００３９】
第１無線通信部２４は、印刷装置２０の状態情報を含むアドバタイズパケットを、状態
通知装置３０に向けてＢＬＥ通信で一定間隔ごとに送信（ブロードキャスト）することで
、印刷装置２０の状態を状態通知装置３０に通知する。このアドバタイズパケットの種類
は、例えば、コネクション確立を目的としないADV_NONCONN_INDである。
【００４０】
図３は、印刷装置２０（第１無線通信部２４）が送信するアドバタイズパケットに含ま
れる印刷装置２０の状態情報の一例である。
【００４１】
図３に示すように、印刷装置２０（第１無線通信部２４）が送信するアドバタイズパケ
ットは、送信元アドレスＡＤ１、送信先アドレスＡＤ２、及び、印刷装置２０の状態情報
として、印刷用紙の有無情報Ｄ１、第１インクの有無情報Ｄ２、第２インクの有無情報Ｄ
３を含む。
【００４２】
送信元アドレスＡＤ１は、アドバタイズパケットの送信元である印刷装置２０のブルー
トゥースデバイスアドレス（BD_ADDR）である。
【００４３】
送信先アドレスＡＤ２は、アドバタイズパケットの送信先である状態通知装置３０のブ
ルートゥースデバイスアドレス（BD_ADDR）である。
【００４４】
印刷用紙の有無情報Ｄ１は、状態検出部２２ａ１によって検出された印刷用紙の有無を
表す情報（ビット又はビット列）である。第１インクの有無情報Ｄ２は、状態検出部２２
ａ１によって検出された第１インクの有無を表す情報（ビット又はビット列）である。第
２インクの有無情報Ｄ３は、状態検出部２２ａ１によって検出された第２インクの有無を
表す情報（ビット又はビット列）である。
【００４５】
印刷機構２８は、図示しないが、各インクカートリッジから供給されるインク滴を吐出
するインクジェットヘッド（印刷ヘッド）、用紙送り機構等を備える。
【００４６】
図１に示すように、状態通知装置３０Ａ〜３０Ｃは、印刷装置２０Ａ〜２０Ｃに対応し
て設けられる。各々の状態通知装置３０Ａ〜３０Ｃは、対応する印刷装置２０（第１無線
通信部２４）から通知される印刷装置２０の状態情報に基づいて、対応する印刷装置２０
にエラー（印刷装置２０が使用する消耗品の不足。例えば、「印刷用紙なし」、「第１イ
ンクなし」、「第２インクなし」）が発生しているか否かを判定する。そして、各々の状
態通知装置３０Ａ〜３０Ｃは、対応する印刷装置２０にエラーが発生していると判定した
場合、当該発生したエラーに応じた報知を実行する。状態通知装置３０Ａ〜３０Ｃの構成
は共通しているので、以下、これらを代表して符号３０によって状態通知装置を示すもの
とする。
【００４７】
図２に示すように、状態通知装置３０は、主に、第２制御部３２、第２無線通信部３４
、エラー判定部３２ａ１、第１報知部３６ａ〜第３報知部３６ｃ等を備える。
【００４８】
第２制御部３２は、ＣＰＵ３２ａ、ＲＡＭ３２ｂ、ＲＯＭ３２ｃ等を備える。
【００４９】
第２制御部３２（ＣＰＵ３２ａ）は、ＲＯＭ３２ｃから読み込まれた所定プログラム（
制御プログラム等）を実行することで、状態通知装置３０全体の動作を司る。ＲＡＭ３２
ｂは、ＣＰＵ３２ａが各種演算処理を行う際の作業領域として用いられる。ＲＯＭ３２ｃ
は、例えば、フラッシュＲＯＭ等の書き換え可能な不揮発性メモリーで、制御プログラム
等のファームウェアが記憶される。ＲＯＭ３２ｃは、状態情報記憶部３２ｃ１を含む。状
態情報記憶部３２ｃ１には、対応する印刷装置２０の状態情報が記憶される。
【００５０】
第２無線通信部３４は、ＢＬＥ通信（無線通信）を行う通信部で、対応する印刷装置２
０からＢＬＥ通信で送信されるアドバタイズパケットを取得（受信）する。この場合、第
２無線通信部３４が本発明のデバイス状態情報取得部に相当する。
【００５１】
第２制御部３２（ＣＰＵ３２ａ）は、ＲＯＭ３２ｃから読み込まれた所定プログラム（
制御プログラム等）を実行することで、エラー判定部３２ａ１として機能する。
【００５２】
エラー判定部３２ａ１は、対応する印刷装置２０から取得されたアドバタイズパケット
に含まれる印刷装置２０の状態情報に基づいて、対応する印刷装置２０にエラーが発生し
ているか否かを判定する。
【００５３】
例えば、エラー判定部３２ａ１は、状態通知装置３０のＲＯＭ３２ｃ（状態情報記憶部
３２ｃ１）に記憶された印刷装置２０の状態情報と、対応する印刷装置２０から取得され
たアドバタイズパケットに含まれる最新の印刷装置２０の状態情報とを比較することで、
対応する印刷装置２０にエラーが発生しているか否かを判定する。
【００５４】
例えば、状態通知装置３０のＲＯＭ３２ｃ（状態情報記憶部３２ｃ１）に図４に示す印
刷装置２０の状態情報が記憶されており、かつ、対応する印刷装置２０から図５に示す最
新の印刷装置２０の状態情報を含むアドバタイズパケットが取得された場合を想定する。
【００５５】
この場合、図４に示す印刷装置２０の状態情報と図５に示す印刷装置２０の状態情報と
を比較すると、「第２インクあり」の状態（図４参照）から「第２インクなし」の状態（
図５参照）のように第２インクの状態が変化していることが判明するため、エラー判定部
３２ａ１は、対応する印刷装置２０に「第２インクなし」のエラーが発生していると判定
する。
【００５６】
同様にして、エラー判定部３２ａ１は、対応する印刷装置２０に「印刷用紙なし」又は
「第１インクなし」のエラーが発生していると判定することができる。
【００５７】
状態通知装置３０（第２制御部３２）は、エラー判定部３２ａ１によって対応する印刷
装置２０にエラーが発生していると判定された場合、報知部（第１報知部３６ａ〜第３報
知部３６ｃ）を制御して、当該発生したエラーに応じた報知を実行する。
【００５８】
第１報知部３６ａ〜第３報知部３６ｃは、図１に示すように、状態通知装置３０の上部
に縦一列に多段配置されている。
【００５９】
第１報知部３６ａは、例えば、赤色のパトライト（例えば、ＬＥＤ。以下同様）によっ
て構成される。
【００６０】
エラー判定部３２ａ１によって対応する印刷装置２０に「印刷用紙なし」のエラーが発
生していると判定された場合、状態通知装置３０（第２制御部３２）は、当該発生したエ
ラー「印刷用紙なし」に対応する第１報知部３６ａを制御して赤色のパトライトを点灯又
は点滅することで、当該発生したエラー「印刷用紙なし」に応じた報知を実行する。
【００６１】
第２報知部３６ｂは、例えば、黄色のパトライトによって構成される。
【００６２】
エラー判定部３２ａ１によって対応する印刷装置２０に「第１インクなし」のエラーが
発生していると判定された場合、状態通知装置３０（第２制御部３２）は、当該発生した
エラー「第１インクなし」に対応する第２報知部３６ｂを制御して黄色のパトライトを点
灯又は点滅することで、当該発生したエラー「第１インクなし」に応じた報知を実行する
。
【００６３】
第３報知部３６ｃは、例えば、緑色のパトライトによって構成される。
【００６４】
エラー判定部３２ａ１によって対応する印刷装置２０に「第２インクなし」のエラーが
発生していると判定された場合、状態通知装置３０（第２制御部３２）は、当該発生した
エラー「第２インクなし」に対応する第３報知部３６ｃを制御して緑色のパトライトを点
灯又は点滅することで、当該発生したエラー「第２インクなし」に応じた報知を実行する
。
【００６５】
なお、第１報知部３６ａ〜第３報知部３６ｃとして、パトライトに代えて（又は、パト
ライトとともに）、対応する印刷装置２０に発生したエラーに応じた報知を実行する音声
出力装置（図示せず）を用いることもできる。
【００６６】
また、エラー判定部３２ａ１によって対応する印刷装置２０にエラーが発生していると
判定された場合、消耗品棚４０が不足の消耗品を把握するための情報（以下、不足消耗品
把握情報という）が、無線通信により消耗品棚４０に送信される。不足消耗品把握情報は
、当該不足消耗品把握情報を含むアドバタイズパケットの形態で消耗品棚４０に送信され
る。この送信は、第２無線通信部３４が行う。
【００６７】
第２無線通信部３４は、エラー判定部３２ａ１によって対応する印刷装置２０にエラー
が発生していると判定された場合、不足消耗品把握情報を含むアドバタイズパケットを、
消耗品棚４０に向けてＢＬＥ通信で一定間隔ごとに送信（ブロードキャスト）する。この
アドバタイズパケットの種類は、例えば、コネクション確立を目的としないADV_NONCONN_
INDである。この場合、第２無線通信部３４が本発明の無線通信部に相当する。
【００６８】
図６は、状態通知装置３０（第２無線通信部３４）が送信するアドバタイズパケットに
含まれる不足消耗品把握情報の一例である。
【００６９】
図６に示すように、状態通知装置３０（第２無線通信部３４）が送信するアドバタイズ
パケットは、不足消耗品把握情報として、不足の消耗品が「印刷用紙」であるか否かを表
す情報Ｄ４（ビット又はビット列）、不足の消耗品が「第１インク」であるか否かを表す
情報Ｄ５（ビット又はビット列）、不足の消耗品が「第２インク」であるか否かを表す情
報Ｄ６（ビット又はビット列）を含む。なお、図６中の情報Ｄ４が示すビット「０」は不
足の消耗品が「印刷用紙」でないことを表し、情報Ｄ５が示すビット「０」は不足の消耗
品が「第１インク」でないことを表し、情報Ｄ６が示すビット「１」は不足の消耗品が「
第２インク」であることを表す。
【００７０】
図１に示すように、消耗品棚４０は、状態通知装置３０から離れた場所に設置される。
消耗品棚４０は、状態通知装置３０（第２無線通信部３４）から通知される不足消耗品把
握情報に基づいて、不足の消耗品（例えば、「印刷用紙」、「第１インク」、「第２イン
ク」）を把握する。そして、消耗品棚４０は、当該把握した不足の消耗品に応じた報知を
実行する。
【００７１】
図２に示すように、消耗品棚４０（外部装置）は、主に、第３制御部４２、第３無線通
信部４４、第４報知部４６ａ〜第６報知部４６ｃ等を備える。
【００７２】
第３制御部４２は、ＣＰＵ４２ａ、ＲＡＭ４２ｂ、ＲＯＭ４２ｃ等を備える。
【００７３】
第３制御部４２（ＣＰＵ４２ａ）は、ＲＯＭ４２ｃから読み込まれた所定プログラム（
制御プログラム等）を実行することで、消耗品棚４０全体の動作を司る。ＲＡＭ４２ｂは
、ＣＰＵ４２ａが各種演算処理を行う際の作業領域として用いられる。ＲＯＭ４２ｃは、
例えば、フラッシュＲＯＭ等の書き換え可能な不揮発性メモリーで、制御プログラム等の
ファームウェアが記憶される。
【００７４】
第３無線通信部４４は、ＢＬＥ通信を行う通信部で、状態通知装置３０からＢＬＥ通信
で送信されるアドバタイズパケットを取得（受信）する。
【００７５】
第３制御部４２（ＣＰＵ４２ａ）は、ＲＯＭ４２ｃから読み込まれた所定プログラム（
制御プログラム等）を実行することで、不足消耗品把握部４２ａ１として機能する。
【００７６】
不足消耗品把握部４２ａ１は、状態通知装置３０から取得したアドバタイズパケットに
含まれる不足消耗品把握情報（図６参照）に基づいて、不足の消耗品を把握する。例えば
、不足消耗品把握情報が図６に示すものである場合、不足消耗品把握部４２ａ１は、不足
の消耗品がビット「１」の第２インクであることを把握する。
【００７７】
消耗品棚４０（第３制御部４２）は、不足消耗品把握部４２ａ１によって不足の消耗品
が把握された場合、報知部（第４報知部４６ａ〜第６報知部４６ｃ）を制御して、当該把
握された不足の消耗品に応じた報知を実行する。
【００７８】
第４報知部４６ａ〜第６報知部４６ｃは、それぞれ、消耗品棚本体４８（図１参照）に
対して出し入れ可能な引き出し部５０ａ〜５０ｃの前面に設けられる。なお、引き出し部
５０ａには補充用の印刷用紙が収納されており、引き出し部５０ｂには交換用の第１イン
クのインクカートリッジが収納されており、引き出し部５０ｃには交換用の第２インクの
インクカートリッジが収納されている。
【００７９】
第４報知部４６ａは、第１報知部３６ａと同様、例えば、赤色のパトライト（例えば、
ＬＥＤ。以下同様）によって構成される。
【００８０】
不足消耗品把握部４２ａ１によって不足の消耗品として「印刷用紙」が把握された場合
、消耗品棚４０（第３制御部４２）は、当該把握された不足の消耗品「印刷用紙」に対応
する第４報知部４６ａを制御して赤色のパトライトを点灯又は点滅することで、当該把握
された不足の消耗品「印刷用紙」に応じた報知を実行する。
【００８１】
第５報知部４６ｂは、第２報知部３６ｂと同様、例えば、黄色のパトライトによって構
成される。
【００８２】
不足消耗品把握部４２ａ１によって不足の消耗品として「第１インク」が把握された場
合、消耗品棚４０（第３制御部４２）は、当該把握された不足の消耗品「第１インク」に
対応する第５報知部４６ｂを制御して黄色のパトライトを点灯又は点滅することで、当該
把握された不足の消耗品「第１インク」に応じた報知を実行する。
【００８３】
第６報知部４６ｃは、第３報知部３６ｃと同様、例えば、緑色のパトライトによって構
成される。
【００８４】
不足消耗品把握部４２ａ１によって不足の消耗品として「第２インク」が把握された場
合、消耗品棚４０（第３制御部４２）は、当該把握された不足の消耗品「第２インク」に
対応する第６報知部４６ｃを制御して緑色のパトライトを点灯又は点滅することで、当該
把握された不足の消耗品「第２インク」に応じた報知を実行する。
【００８５】
なお、第４報知部４６ａ〜第６報知部４６ｃとして、パトライトに代えて（又は、パト
ライトとともに）、把握された不足の消耗品に応じた報知を実行する音声出力装置（図示
せず）を用いることもできる。
【００８６】
次に、本実施形態の状態通知システム１０の動作の一例について図７〜図９を参照しな
がら説明する。
【００８７】
図７は、状態通知システム１０のシーケンス図である。図８は、図７において状態通知
装置３０が実行する処理を説明するためのフローチャートである。図９は、図７において
消耗品棚４０が実行する処理を説明するためのフローチャートである。
【００８８】
以下の説明では、状態通知装置３０のＲＯＭ３２ｃ（状態情報記憶部３２ｃ１）には、
図４に示す印刷装置２０の状態情報が記憶されているものとする。
【００８９】
図７に示すように、印刷装置２０は、状態を通知すべき事象が発生した場合（ステップ
Ｓ１０）、状態検出部２２ａ１によって検出された最新の印刷装置２０の状態情報を含む
アドバタイズパケット１を、対応する状態通知装置３０に向けてＢＬＥ通信で一定間隔ご
とに送信（ブロードキャスト）する（ステップＳ１２）。状態を通知すべき事象は、例え
ば、印刷装置２０の状態検出部２２ａ１が印刷装置２０の状態を検出した場合である。
【００９０】
ここでは、印刷装置２０（第１無線通信部２４）が、最新の印刷装置２０の状態情報と
して、図５に示すように、「印刷用紙あり」、「第１インクあり」、「第２インクなし」
であることを表す情報を含むアドバタイズパケット（以下、アドバタイズパケット１とい
う）を、送信したとする。
【００９１】
状態通知装置３０（第２無線通信部３４）は、図８に示すように、対応する印刷装置２
０から送信されるアドバタイズパケット１を取得（受信）し（ステップＳ１４）、ステッ
プ１６〜Ｓ２８の処理を実行する。これは、本発明のデバイス状態情報取得工程に相当す
る。
【００９２】
すなわち、まず、状態通知装置３０（第２無線通信部３４）は、対応する印刷装置２０
から取得されたアドバタイズパケット１に含まれる送信先アドレスが対象のアドレス、す
なわち、自状態通知装置３０のブルートゥースデバイスアドレス（BD_ADDR）である場合
（ステップＳ１６：Ｙｅｓ）、当該アドバタイズパケット１に含まれるペイロードとして
印刷装置２０の状態情報を取得する（ステップＳ１８）。一方、状態通知装置３０は、対
応する印刷装置２０から取得されたアドバタイズパケット１に含まれる送信先アドレスが
対象のアドレスでない場合（ステップＳ１６：Ｎｏ）、処理を終了する。
【００９３】
次に、状態通知装置３０は、対応する印刷装置２０に何のエラーが発生したのかを解析
する（ステップＳ２０）。これは、本発明のエラー判定工程に相当する。
【００９４】
この解析は、状態通知装置３０のエラー判定部３２ａ１が、状態通知装置３０のＲＯＭ
３２ｃ（状態情報記憶部３２ｃ１）に記憶された印刷装置２０の状態情報（図４参照）と
、対応する印刷装置２０から取得されたアドバタイズパケット１に含まれる最新の印刷装
置２０の状態情報（図５参照）とを比較することで行う。
【００９５】
ここでは、ステップＳ２０での解析（比較）の結果、「第２インクあり」の状態（図４
参照）から「第２インクなし」の状態（図５参照）のように第２インクの状態が変化して
いることが判明するため、状態通知装置３０は、対応する印刷装置２０に「第２インクな
し」のエラーが発生していると判定する（ステップＳ２２：Ｙｅｓ）。
【００９６】
次に、状態通知装置３０は、報知部（第１報知部３６ａ〜第３報知部３６ｃ）を制御し
て当該発生したエラーに応じた報知を実行する（ステップＳ２４）。
【００９７】
ここでは、状態通知装置３０（第２制御部３２）は、当該発生したエラー「第２インク
なし」に対応する第３報知部３６ｃを制御して緑色のパトライトを点灯又は点滅すること
で、当該発生したエラー「第２インクなし」に応じた報知を実行する。一方、状態通知装
置３０は、エラーが発生していないと判定した場合（ステップＳ２２：Ｎｏ）、処理を終
了する。
【００９８】
次に、状態通知装置３０（第２無線通信部３４）は、不足消耗品把握情報を含むアドバ
タイズパケット（以下、アドバタイズパケット２という）を、消耗品棚４０に向けてＢＬ
Ｅ通信で一定間隔ごとに送信（ブロードキャスト）する（ステップＳ２６）。
【００９９】
ここでは、対応する印刷装置２０に「第２インクなし」のエラーが発生しているため、
状態通知装置３０（第２無線通信部３４）は、不足消耗品把握情報として、図６に示すよ
うに、不足の消耗品が「第２インク」であることを表す情報（図６中のビット「１」参照
）を含むアドバタイズパケット２を送信する。
【０１００】
そして、状態通知装置３０（第２制御部３２）は、ＲＯＭ３２ｃ（状態情報記憶部３２
ｃ１）に記憶された印刷装置２０の状態情報（図４参照）を、対応する印刷装置２０から
取得されたアドバタイズパケット１（ペイロード）に含まれる最新の印刷装置２０の状態
情報（図５参照）に更新する（ステップＳ２８）。
【０１０１】
消耗品棚４０（第３無線通信部４４）は、図９に示すように、状態通知装置３０から送
信されるアドバタイズパケット２を取得（受信）し（ステップＳ３０）、ステップＳ３２
〜Ｓ３４の処理を実行する。
【０１０２】
すなわち、まず、消耗品棚４０（第３制御部４２）は、状態通知装置３０から取得され
たアドバタイズパケット２に含まれるペイロード（不足消耗品把握情報）を取得する（ス
テップＳ３２）。
【０１０３】
次に、消耗品棚４０（不足消耗品把握部４２ａ１）は、状態通知装置３０から取得され
たアドバタイズパケット２（ペイロード）に含まれる不足消耗品把握情報（図６参照）に
基づいて、不足の消耗品を把握する。
【０１０４】
ここでは、不足消耗品把握情報（図６参照）は、不足の消耗品が「第２インク」である
ことを表す情報（図６中のビット「１」参照）を含むため、消耗品棚４０（不足消耗品把
握部４２ａ１）は、不足の消耗品として「第２インク」を把握する。
【０１０５】
次に、消耗品棚４０は、報知部（第４報知部４６ａ〜第６報知部４６ｃ）を制御して当
該把握した不足の消耗品に応じた報知を実行する（ステップＳ３４）。
【０１０６】
ここでは、消耗品棚４０（第３制御部４２）は、当該把握した不足の消耗品「第２イン
ク」に対応する第６報知部４６ｃを制御して緑色のパトライトを点灯又は点滅することで
、当該把握した不足の消耗品「第２インク」に応じた報知を実行する。
【０１０７】
ユーザーは、図７、図９中のステップＳ３４の報知に従い、不足の消耗品を把握し、消
耗品棚４０から不足の消耗品を取り出す。そして、ユーザーは、図８中のステップＳ２４
の報知に従い、エラーが発生している印刷装置２０を把握し、その印刷装置２０に消耗品
棚４０から取り出した不足の消耗品を補充又は交換する（ステップＳ３６）。これにより
、印刷装置２０に発生したエラーが解決され、アドバタイズパケット１の送信が停止され
る（ステップＳ３８）。
【０１０８】
以後、状態を通知すべき事象が発生するごとに、上記ステップＳ１０〜Ｓ３８の処理が
実行される。
【０１０９】
以上説明したように、本実施形態によれば、設置自由度が高く、使い勝手のよい状態通
知装置３０を提供することができる。
【０１１０】
これは、状態通知装置３０が、印刷装置２０からＢＬＥ通信（無線通信）により印刷装
置２０の状態情報を取得する第２無線通信部３４（デバイス状態情報取得部）を備えてい
ることによるものである。すなわち、状態通知装置３０と印刷装置２０とが無線接続され
ているため（有線接続されていないため）、状態通知装置３０を任意の箇所に設置するこ
とができることによるものである。
【０１１１】
さらに、本実施形態では、印刷装置２０の状態情報に基づく判定処理を、印刷装置２０
内部ではなく、状態通知装置３０側で行い報知するようにしている。このため、例えば、
印刷装置２０自体が、状態通知装置３０を制御して報知する機能を有していなくとも、状
態通知装置３０を導入することで容易に報知機能を実現できる。
【０１１２】
また、本実施形態によれば、状態通知装置３０から離れた場所に存在するユーザーに、
不足の消耗品の補充又は交換を促すことができる。
【０１１３】
これは、状態通知装置３０から離れた場所に設置可能な消耗品棚４０が、不足の消耗品
に応じた報知を実行する報知部（第４報知部４６ａ〜第６報知部４６ｃ）を備えているこ
とによるものである。
【０１１４】
次に、変形例について説明する。
【０１１５】
上記実施形態では、消耗品棚４０の第４報知部４６ａ〜第６報知部４６ｃによって、状
態通知装置３０（第２無線通信部３４）から通知される不足消耗品把握情報に基づいて把
握された不足の消耗品に応じた報知を実行する例について説明したが、これに限らない。
【０１１６】
例えば、情報処理端末が備えるディスプレイに、状態通知装置３０（第２無線通信部３
４）から通知される不足消耗品把握情報に基づいて把握された不足の消耗品（さらに消耗
品が不足している印刷装置２０）を表示することで、報知を実行してもよい。この情報処
理端末が備えるディスプレイとしては、例えば、スマートフォンやタブレットＰＣやノー
トＰＣ等の携帯可能なコンピューターが備えるディスプレイやデスクトップ型のコンピュ
ーターに接続されたディスプレイが考えられる。
【０１１７】
本変形例によれば、状態通知装置３０とは異なる場所に存在する情報処理端末に不足の
消耗品を報知させることができる。これにより、ユーザーに消耗品の補充又は交換を促す
ことができる。
【０１１８】
また、上記実施形態では、エラー判定部３２ａ１を状態通知装置３０に設けた例につい
て説明したが、これに限らない。例えば、エラー判定部３２ａ１を印刷装置２０に設け、
エラー判定部３２ａ１の判定結果を第１無線通信部２４によって状態通知装置３０に送信
するようにしてもよい。
【０１１９】
また、上記実施形態では、各無線通信部２４、３４、４４が、ＢＬＥ通信を行う通信部
である例について説明したが、これに限らない。すなわち、各無線通信部２４、３４、４
４は、無線通信を行う通信部であればよく、ＢＬＥ通信以外のＷｉ−Ｆｉ通信を行う通信
部であってもよいし、それ以外の無線通信を行う通信部であってもよい。
【０１２０】
また、上記実施形態では、状態検出部２２ａ１が印刷装置２０の状態として、印刷用紙
の有無、第１及び第２インクの有無を検出する例について説明したが、これに限らず、さ
らに、第３インク、第４インク・・・の有無を検出してもよいし、これら以外の消耗品の
有無を検出してもよいし、又は、これらのうち少なくとも１つの有無を検出してもよい。
また、各報知部３６ａ〜３６ｃ（４６ａ〜４６ｃ）の数も、３つに限らず、状態検出部２
２ａ１によって検出される消耗品の数に応じて増減させてもよい。
【０１２１】
また、上記実施形態では、印刷装置２０（第１無線通信部２４）及び状態通知装置３０
が送信するアドバタイズパケットの種類がコネクション確立を目的としないADV_NONCONN_
INDである例について説明したが、これに限らず、印刷装置２０（第１無線通信部２４）
及び状態通知装置３０が送信するアドバタイズパケットの種類は、コネクション確立を目
的とするADV_INDであってもよい。
【０１２２】
また、上記実施形態では、印刷装置２０として、インクジェット方式のプリンターを用
いた例について説明したが、これに限らず、レーザープリンター、サーマルプリンター等
の他の方式のプリンターを用いてもよい。
【０１２３】
上記実施形態で示した各数値は全て例示であり、これと異なる適宜の数値を用いること
ができるのは無論である。
【０１２４】
上記実施形態はあらゆる点で単なる例示にすぎない。上記実施形態の記載によって本発
明は限定的に解釈されるものではない。本発明はその精神または主要な特徴から逸脱する
ことなく他の様々な形で実施することができる。
【符号の説明】
【０１２５】
１０…状態通知システム、２０、２０Ａ、２０Ｂ、２０Ｃ…印刷装置、２２…第１制御
部、２２ａ…ＣＰＵ、２２ａ１…状態検出部、２２ｂ…ＲＡＭ、２２ｃ…ＲＯＭ、２４…
第１無線通信部、２６…照度センサ、２８…印刷機構、３０、３０Ａ、３０Ｂ、３０Ｃ…
状態通知装置、３２…第２制御部、３２ａ…ＣＰＵ、３２ａ１…エラー判定部、３２ｂ…
ＲＡＭ、３２ｃ…ＲＯＭ、３２ｃ１…状態情報記憶部、３４…第２無線通信部、３６ａ…
第１報知部、３６ｂ…第２報知部、３６ｃ…第３報知部、４０…消耗品棚、４２…第３制
御部、４２ａ…ＣＰＵ、４２ａ１…不足消耗品把握部、４２ｂ…ＲＡＭ、４２ｃ…ＲＯＭ
、４４…第３無線通信部、４６ａ…第４報知部、４６ｂ…第５報知部、４６ｃ…第６報知
部、４８…消耗品棚本体、５０ａ、５０ｂ、５０ｃ…引き出し部、ＡＤ１…送信元アドレ
ス、ＡＤ２…送信先アドレス、Ｄ１…印刷用紙の有無情報、Ｄ２…第１インクの有無情報
、Ｄ３…第２インクの有無情報、Ｄ４、Ｄ５、Ｄ６…情報。
【図１】
2018034310.tif 000003
【図２】
2018034310.tif 000004
【図３】
2018034310.tif 000005
【図４】
2018034310.tif 000006
【図５】
2018034310.tif 000007
【図６】
2018034310.tif 000008
【図７】
2018034310.tif 000009
【図８】
2018034310.tif 000010
【図９】
2018034310.tif 000011